(57)【要約】【課題】演出態様に変化を持たせて演出効果を高め得る遊技機を提供する。【解決手段】遊技機は、回転リール３２を有するリール装置３０などの図柄変動表示装置の他に、図柄変動表示装置の例えば回転リール３２を遊技者が視認可能な程度に振動させる加振装置４０と、遊技状況に応じてこの加振装置４０の作動を制御する制御手段とを備える。好ましくは、上記加振装置４０に接続されかつ遊技者に見える位置に配置された振動体４７を更に備える。この振動体４７は、加振装置４０により図柄変動表示装置を振動させるとき図柄変動表示装置の振動振幅よりも大きな振幅でもって振動する。【選択図】　　　図５
2004089354.tif 000002
【特許請求の範囲】
【請求項１】
図柄変動表示装置を備えた遊技機において、上記図柄変動表示装置を遊技者が視認可能な程度に振動させる加振装置と、遊技状況に応じてこの加振装置の作動を制御する制御手段とを備えたことを特徴とする遊技機。
【請求項２】
上記図柄変動表示装置は、取付部に弾性部材を介して取り付けられており、上記加振装置は、この弾性部材の弾性変形の下に図柄変動表示装置を振動させるように設けられている請求項１記載の遊技機。
【請求項３】
上記図柄変動表示装置は、外周面に複数の図柄を一列に描いてなる図柄回転体を有しており、上記加振装置は、この図柄回転体を振動させるように設けられている請求項１記載の遊技機。
【請求項４】
図柄変動表示装置とは別に画像表示装置を備えており、上記制御手段は、この画像表示装置による画像表示に併せて加振装置を作動させて図柄変動表示装置を振動させるように設けられている請求項１〜３のいずれか一つに記載の遊技機。
【請求項５】
上記加振装置に接続されかつ遊技者に見える位置に配置された振動体を備え、この振動体は、加振装置により図柄変動表示装置を振動させるとき図柄変動表示装置の振動振幅よりも大きな振幅でもって振動するように設けられている請求項１〜４のいずれか一つに記載の遊技機。
【請求項６】
上記制御手段は、内部抽選の結果と関連して加振装置を作動させるように設けられている請求項１〜５のいずれか一つに記載の遊技機。
【発明の詳細な説明】
【０００１】
【発明の属する技術分野】
本発明は、スロットマシンやパチンコ機などのように図柄変動表示装置を備えた遊技機に関する。
【０００２】
【従来の技術】
一般に、スロットマシンは、図柄変動表示装置として、外周面に複数種類の図柄が描かれたリールを横３列に配列してなるリール装置を備え、１回のゲーム毎にこのリール装置の各リールを始動スイッチにより回転させ、３つの停止スイッチを操作して全てのリールが停止したとき各リールの図柄の組み合わせによって入賞の有無が決定される。特に、各リールの図柄の組み合わせが例えば「７」−「７」−「７」のような特別な場合には、通常のゲームよりも遊技者にとって有利ないわゆるボーナスゲームを以後複数回行うようになっている。近年のスロットマシンでは、ボーナス図柄の組み合わせが平均して出現するようにするために、マシン制御部で内部抽選を行い、その抽選に当選するとボーナスフラグを立て、その場合遊技者によって操作される停止スイッチの操作タイミングが多少ずれていてもそれが許容範囲内であればボーナス図柄を出現させるようにリールの停止位置を制御するいわゆる引き込み制御が行われる。また、ボーナス図柄が出現しないときでもボーナスフラグが立っていると以後も引き込み制御を行い、ボーナス図柄が出現するようになっている。
【０００３】
そして、このようなスロットマシンにおいては、ボーナスフラグが成立してボーナス図柄が出現する状況にあるとき、その状況を遊技者に報知するいわゆるフラグ告知をするために、所定の遊技演出、例えば発光ランプを点灯又は点滅したり、スピーカから効果音を発したり、あるいは液晶画面等に特定の表示をしたりすることなどが行われている。また、ボーナスフラグが成立していないときにも、いわゆるガセ告知（擬似フラグ告知）として同様の遊技演出が行われており、このような遊技演出は、スロットマシンの遊技での面白みの一つになっている。
【０００４】
【発明が解決しようとする課題】
ところが、上記従来の遊技演出のうち、発光ランプの点灯・点滅やスピーカの効果音では、演出態様が変化に乏しく、単調になるという問題がある。また、液晶画面等での表示では複雑な演出が可能であるが、実際上採用されている限られたパターン画像では単調さを克服するには十分でない面がある。
【０００５】
このような問題は、パチンコ機でも同様である。すなわち、パチンコ機においては、遊技盤の中央部に小型のリール装置や液晶表示装置などからなる図柄変動表示装置を設け、打球が始動入賞口などに入賞したときこの図柄変動表示装置で図柄を変動表示し、内部抽選の結果を停止図柄の組み合わせで表示しているが、この表示態様が単調になるという問題である。
【０００６】
本発明はかかる点に鑑みてなされたものであり、その課題とするところは、遊技者が遊技中図柄変動表示装置を注視していることに着目し、この図柄変動表示装置を、フラグ成立や大当たりなどを報知するための一つの報知手段ないし演出手段として利用することにより、演出態様に変化を持たせて演出効果を高め得る遊技機を提供せんとするものである。
【０００７】
【課題を解決するための手段】
上記の課題を達成するため、請求項１に係る発明は、図柄変動表示装置を備えた遊技機において、上記図柄変動表示装置を遊技者が視認可能な程度に振動させる加振装置と、遊技状況に応じてこの加振装置の作動を制御する制御手段とを備える構成とする。この構成では、制御手段の制御の下、フラグ成立時や大当り時などの所定の遊技状況のときに加振装置が作動して図柄変動表示装置が視認可能な程度に振動することになり、意外性のある演出態様を創出することができる。
【０００８】
請求項２及び３に係る発明は、いずれも請求項１記載の遊技機において、加振装置による図柄変動表示装置の加振構造をより具体的に示すものである。すなわち、請求項２に係る発明では、上記図柄変動表示装置を、取付部に弾性部材を介して取り付け、上記加振装置を、この弾性部材の弾性変形の下に図柄変動表示装置を振動させるように設ける構成とする。また、請求項３に係る発明は、上記図柄変動表示装置が外周面に複数の図柄を一列に描いてなる図柄回転体を有し、上記加振装置を、この図柄回転体を振動させるように設ける構成とする。
【０００９】
請求項４に係る発明は、請求項１〜３のいずれか一つに記載の遊技機において、図柄変動表示装置とは別に画像表示装置を備え、上記制御手段を、この画像表示装置による画像表示に併せて加振装置を作動させて図柄変動表示装置を振動させるように設ける構成とする。この構成では、制御手段の制御の下に、画像表示装置による画像表示に併せて加振装置の作動により図柄変動表示装置が振動することにより、臨場感のある演出態様を実現することができる。
【００１０】
請求項５に係る発明は、請求項１〜４のいずれか一つに記載の遊技機において、上記加振装置に接続されかつ遊技者に見える位置に配置された振動体を更に備え、この振動体を、加振装置により図柄変動表示装置を振動させるとき図柄変動表示装置の振動振幅よりも大きな振幅でもって振動するように設ける構成とする。この構成では、遊技者の見える位置にある振動体が、図柄変動表示装置の振動振幅よりも大きな振幅でもって振動することにより、振動による報知効果を確実に確保することができる。しかも、振動体の振動は、図柄変動表示装置を振動させる加振装置に振動体が接続されていることによって発生するものであるため、別個の加振装置などは必要とせず、実施化が図り易い。
【００１１】
請求項６に係る発明は、請求項１〜５のいずれか一つに記載の遊技機において、上記制御手段を、遊技状況として内部抽選の結果と関連して加振装置を作動させるように設ける構成とする。この構成では、例えばスロットマシンの場合、制御手段の制御の下に、内部抽選に当選した時のフラグ告知、あるいはガセ告知として加振装置の作動により図柄変動表示装置が振動することになり、フラグ告知やガセ告知での演出効果を高めることができる。
【００１２】
【発明の実施の形態】
以下、本発明の実施の形態を図面に基づいて説明する。
図１及び図２は本発明の一実施形態に係る遊技機としてのスロットマシンＡを示し、このスロットマシンＡは、筐体１の前方開口部に前扉２がその左側をヒンジ側として開閉可能に取り付けられてなる。
【００１３】
上記前扉２の上部には上部ランプ３、画像表示装置としての液晶表示装置４及び左右一対のスピーカ５，５が設けられているとともに、前扉２の中央部には中央パネル６及び遊技操作部７が設けられている。液晶表示装置４は、通常は配当表などを表示し、所定の遊技状況のときキャラクターなどを表示するようになっている。中央パネル６は、アクリル板のような透明な合成樹脂板や強化ガラス板などの裏面にシルクスクリーン印刷により絵柄や模様などを施してなり、この中央パネル６には、シルクスクリーン印刷を施さず透明なままの部分である矩形状のリール表示窓８が形成されているとともに、このリール表示窓８の左側に５つの有効化表示ランプ９ａ，９ｂ，９ｃ，９ｄ，９ｅが、リール表示窓８の下側にヒット枚数表示器１１、役物当選回数表示器１２及び貯留枚数表示器１３がそれぞれ設けられている。遊技操作部７上にはメダル投入口１５、始動スイッチ１６、３つの停止スイッチ１７，１７，１７、マックスベットスイッチ１８及び精算スイッチ１９などが設けられている。この遊技操作部７よりも下側の前扉２の下部には下部パネル２１、メダル払出口２２及びメダル受け皿２３が設けられている。
【００１４】
一方、上記筐体１内には、上記リール表示窓８に対応して、図柄変動表示装置としてのリール装置３０が配置されている。このリール装置３０は、図３及び図４に拡大詳示するように、前方に開口する保持ボックス３１内に３つの図柄回転体としての回転リール３２，３２，３２を水平方向の軸線上に並べかつ独立して回転自在に支持してなり、各回転リール３２の外周面にはそれぞれ複数の図柄（図示せず）が一列に施されている。また、各回転リール３２の内部にはそれを独自に回転させるステップモータ３３が配置されている。そして、前扉２を閉じた状態で各回転リール３２毎に３つずつ計９つの図柄が前扉２のリール表示窓８を通して前方つまり遊技者側に見えるようになっている。リール装置３０の保持ボックス３１は、筐体１内に設けたリール載置棚３５の上に固定されている。筐体１内には、リール装置３０の他に、リール載置棚３５より上側に主制御基板３６などが配置されているとともに、リール載置棚３５より下側にメダル払出装置３７及び電源ユニット３８などが配置されている。
【００１５】
上記５つの有効化表示ランプ９ａ〜９ｅはメダル投入口１５に投入されたメダルの枚数に応じて点灯するものであり、投入メダルが１枚のときには中央の１つの有効化表示ランプ９ｃのみが点灯しかつその表示ランプ９ｃから横に延びる１本の入賞ラインＬ１が有効化される。投入メダルが２枚のときには中央寄りの３つの有効化表示ランプ９ｂ，９ｃ，９ｄが点灯しかつこれらの表示ランプ９ｂ〜９ｄから横に延びる３本の入賞ラインＬ１，Ｌ２，Ｌ３が有効化され、投入メダルが３枚のときには５つの有効化表示ランプ９ａ〜９ｅ全てが点灯しかつ横に延びる３本の入賞ラインＬ１〜Ｌ３と斜めに延びる２本の入賞ラインＬ４，Ｌ５とが有効化される。
【００１６】
上記始動スイッチ１６はリール装置３０の３つの回転リール３２，３２，３２を一斉に若しくは順次に回転始動させるものであり、上記３つの停止スイッチ１７，１７，１７はそれぞれ対応する回転リール３２の回転を個別に停止させるものである。そして、上述の如くメダルの投入枚数に応じて有効化された入賞ラインＬ１〜Ｌ５上に所定の図柄の組み合わせが揃うとその組み合わせに応じた獲得枚数がヒット枚数表示器１１に表示され、その枚数のメダルがメダル払出装置３７からメダル払出口２２を通してメダル受け皿２３に払い出されるようになっている。
【００１７】
また、スロットマシンＡは複数枚のメダルを予めメダル投入口１５から投入して預けておき、この預けメダルを消費しつつゲームを行うことができるいわゆるクレジット形式のものであり、貯留枚数表示器１３には預けメダルの枚数が表示される。そして、始動スイッチ１６の操作に先立ってマックスベットスイッチ１８を押すと３枚のメダルが投入された場合と同様に５本の入賞ラインＬ１〜Ｌ５が有効化される。精算スイッチ１９は、預けメダルを精算してメダル受け皿２３に払い出すためのものである。
【００１８】
さらに、スロットマシンＡは、報知演出のために、図５に示すように、上記リール装置３０を遊技者が視認可能な程度に振動させる加振装置４０を備えている。この加振装置４０は、リール装置３０の３つの回転リール３２，３２，３２のうちの少なくとも１つを振動させるもので、保持ボックス３１に設けた支軸４１に揺動可能に支持されたレバー部材４２と、このレバー部材４２の一端に回転自在に取り付けられかつ回転リール３２の内周面に接触する伝達用ローラ４３と、レバー部材４２の支軸４１と伝達用ローラ４３取付側一端との間に取り付けられた振動源４４とを有してなる。振動源４４は、モータ４５の回転軸４５ａに略半円形状の重り４６を偏心状態に装着し、この重り４６を偏心回転させることにより振動を発生するようになっており、振動源４４の振動に伴ってレバー部材４２が支軸４１回りに振動し、伝達用ローラ４３が回転リール３２を加振する。
【００１９】
上記レバー部材４２には支軸４１寄りの部位から回転リール３２の側方を通って前方（つまり前扉２のリール表示窓８寄り）に延びる棒状の振動体４７が接続され、この振動体４７の先端にはアヒル型のマスコットキャップ４８が装着されている。このマスコットキャップ４８は、前扉２のリール表示窓８を通して遊技者に見える位置に配置されているとともに、振動体４７を比較的長くすることで上記加振装置４０によりリール装置３０の回転リール３２を振動させるときその回転リール３２の振動振幅よりも大きな振幅でもって振動するように設けられている。尚、リール装置３０の回転リール３２が回転するときには、伝達用ローラ４３は回転リール３２の回転に追従して軸回りに回転するが、レバー部材４２及び振動体４７などが振動することはない。
【００２０】
図６はスロットマシンＡの制御系のブロック構成を示す。この図において、主制御基板３６は、制御主体であるＣＰＵ５１と、データの読み書きなどに用いられるＲＡＭ５２と、プログラム及び固定データなどを格納するＲＯＭ５３と、ステップモータ制御部５４とを備えている。
【００２１】
上記ステップモータ制御部５４は、ＣＰＵ５１からの回転制御信号に基づいてリール装置３０の３つのステップモータ３３，３３，３３の作動を個別に制御するようになっている。リール装置３０の各回転リール３２の初期位置は、それぞれリール初期位置検出器５６により検出され、その検出信号は、ＣＰＵ５１に入力されてステップモータ３３の作動制御に供される。
【００２２】
上記ＣＰＵ５１は、図６には示していないが、上述した始動スイッチ１６、停止スイッチ１７及びマックスベットスイッチ１８の操作信号の他、メダル投入口１５へのメダルの投入を検知するメダルセンサなどからの信号を受ける一方、報知演出用サブ制御基板６０に対し演出制御信号を出力するようになっている。尚、ＣＰＵ５１は、図示していないが、ヒット枚数表示器１１や役物当選回数表示器１２などを制御する表示用サブ制御基板及びスピーカ５を制御する音声用サブ制御基板などに対してもそれぞれ制御信号を出力するようになっている。
【００２３】
上記報知演出用サブ制御基板６０は、制御主体であるＣＰＵ６１と、データの読み書きなどに用いられるＲＡＭ６２と、プログラム及び固定データなどを格納するＲＯＭ６３と、液晶表示装置４を制御するＬＣＤコントローラ６４と、このＬＣＤコントローラ６４に付随して設けられた画像情報を記憶するＶＲＡＭ６５及びＲＯＭ６６とを備えている。ＣＰＵ６１は、主制御基板３６からの演出制御信号に基づいて、報知演出を行うために、ＬＣＤコントローラ６４に表示信号を出力するとともに、加振装置４０の駆動源４４のモータ４５を制御するモータ制御部６７にモータ回転制御信号を出力する。ＬＣＤコントローラ６４は、ＣＰＵ６１からの表示信号に基づいて、液晶表示装置４のＬＣＤドライバ４ａ，４ａに画像表示信号を出力してＬＣＤ画面４ｂ上に所定の画像表示をするようになっている。主制御基板３６及び報知演出用サブ制御基板６０により、本発明にいう加振装置４０の作動を制御する制御手段６８が構成されている。
【００２４】
図７は上記主制御基板３６（詳しくはＣＰＵ５１）による遊技の制御内容を示すフローチャートであり、以下、このフローチャートに従って制御内容を説明する。
【００２５】
図７において、先ず、ステップＳ１で遊技開始の操作である始動スイッチ１６が操作されるのを待った後、ステップＳ２で入賞抽選を行う。この入賞抽選は、乱数抽選によりビッグボーナス、レギュラーボーナス、小役などの役の当否を決定するものである。
【００２６】
続いて、ステップＳ３でビッグボーナス又はレギュラーボーナスの当選か否かを判定し、その判定がＹＥＳのときには、ステップＳ４でボーナス当選フラグＦを１に設定する。また、ステップＳ５でその他の役の当選か否かを判定し、その判定がＹＥＳのときには、ステップＳ６でその他の役の当選フラグを１に設定する。ステップＳ３の判定又はステップＳ５の判定がＮＯのときにはフラグをそのままにして次のステップに移行する。
【００２７】
ステップＳ７では遊技の実行を行う。この遊技の実行は、図８に示すサブルーチンに従って、先ず、ステップＳ２１でリール装置３０の３つの回転リール３２，３２，３２を回転始動させ、ステップＳ２２で遊技者により停止スイッチ１７の押し操作が行われるのを待って、ステップＳ２３でその停止スイッチ１７に対応した回転リール３２を停止する。しかる後、ステップＳ２４でリール装置３０の３つ全ての回転リール３２，３２，３２が停止したか否かを判定し、判定がＮＯのときにはステップＳ２２に戻る一方、判定がＹＥＳのときには、ステップＳ２５でリール初期位置検出器５６の信号に基づいてリール表示窓８の入賞ラインＬ１〜Ｌ５上に入賞図柄が揃っているか否かの入賞判定を行う。
【００２８】
このような遊技の実行の後、図７に示すフローに戻り、ステップＳ８でボーナス入賞か否かを判定する。この判定がＹＥＳのときには、ステップＳ９でボーナス当選フラグＦを０に戻した後、ステップＳ１０でボーナスゲーム処理を実行し、ステップＳ１１でその他の役の当選フラグを０に戻し、リターンする。一方、ステップＳ８の判定がＮＯのときには、ステップＳ１２で更にその他の役入賞か否かを判定し、その判定がＹＥＳのときにはステップＳ１３でその他の役入賞処理を実行した後、ステップＳ１１へ移行するが、判定がＮＯのときにはそのままステップＳ１１へ移行する。
【００２９】
図９は上記報知演出用サブ制御基板６０（詳しくはＣＰＵ６１）による報知演出処理の制御内容を示すフローチャートである。この報知演出処理においては、先ず、ステップＳ３１で主制御基板３６のＣＰＵ５１から出力されるリール始動信号に基づいてリール始動が行われるのを待った後、ステップＳ３２で演出モード抽選を行う。この演出モード抽選は、報知演出の要否と要のときの演出モードとを乱数抽選により決定するものであり、報知演出の要否及び演出モードは、主制御基板３６の制御フローで行う入賞抽選（図７のステップＳ２）の結果と関連して決定される。例えば報知演出がボーナス当選フラグＦの成立を報知するフラグ告知のために行われる場合、各演出モードはそれぞれ所定の報知信頼度でもって行われ、１００％の報知信頼度でフラグ告知をするだけでなく、ガセ告知をも含むようになっている。
【００３０】
続いて、ステップＳ３３で上記演出モード抽選の結果は報知演出が要であるか否かを判定し、その判定がＮＯのときにはそのまま制御を終了する一方、判定がＹＥＳのときには、ステップＳ３４で液晶表示装置４のＬＣＤ画面４ｂ上に画像、例えば噴煙を出している火山を表示して報知演出を開始する。しかる後、ステップＳ３５で演出モードが振動演出を行うものか否かを判定し、その判定がＹＥＳのときには、ステップＳ３６で振動演出付き報知処理を行い、制御を終了する一方、判定がＮＯのときには、ステップＳ３７で振動演出なし報知処理を行い、制御を終了する。振動演出付き報知処理とは、液晶表示装置４のＬＣＤ画面４ｂ上に、例えば図１０に示すような火山が噴火した画像を表示するとともに、加振装置４０を作動させてリール装置３０の回転リール３２を遊技者が視認可能な程度に振動させることにより報知処理を行うことであり、振動演出なし報知処理とは、液晶表示装置４のＬＣＤ画面４ｂ上に、例えば噴煙を出している火山をそのまま表示し続けたり、噴煙を出さなくなった火山を表示したりするだけで報知処理を行うことである。
【００３１】
従って、上記実施形態のスロットマシンＡにおいては、フラグ告知などのために行われる報知演出の一つの態様として、加振装置４０を作動させてリール装置３０の回転リール３２を遊技者が視認可能な程度に振動させることが追加されるため、演出態様を多彩なものとすることができ、演出効果を高めることができる。特に、遊技者は、遊技中前扉１のリール表示窓８を通して見えるリール装置３０の回転リール３２を注視していることから、このリール装置３０の回転リール３２が振動することは遊技者への報知効果が高く、また意外性も高く遊技性を高める上で効果的である。
【００３２】
その上、上記実施形態の場合、前扉１の上部に設けた液晶表示装置４のＬＣＤ画面４ｂ上に表示される画像表示に併せてリール装置３０の回転リール３２が振動するため、臨場感のある演出態様を実現することができ、演出効果を一層高めることができる。
【００３３】
さらに、上記回転リール３２の振動時には回転リール３２と同様に前扉１のリール表示窓８を通して見える振動体４７先端のマスコットキャップ４８が、回転リール３２の振動振幅よりも大きな振幅でもって振動するため、振動による報知効果を確実に確保することができる。しかも、マスコットキャップ４８の振動は、回転リール３２を振動させる加振装置４０のレバー部材４２に振動体４７が接続されていることによって発生するもので、別個の加振装置などを必要としないので、実施化を容易に図ることができる。
【００３４】
尚、加振装置４０により回転リール３２を振動させて報知処理を行う時点としては、回転リール３２の停止後に行うことが遊技者のいわゆる目押し操作に支障を来たさないために望ましいが、回転リール３２の振動が目押し操作を阻害しない程度であれば回転リール３２の回転中に振動演出付き報知処理を行ってもよい。また、振動演出付き報知処理を行うときには、スピーカ５から効果音を発したり、上部ランプ３などを点滅させたりして、臨場感をより高めるようにしてもよい。
【００３５】
さらに、振動演出付き報知処理を行うとき、液晶表示装置４のＬＣＤ画面４ｂ上に表示する画像としては、図１０に示すような火山が噴火した画像の他、図１１に示すようなマシンガンで当たり図柄を打ち抜く画像、図１２に示すようなマンモスの大群が近づいて来る画像、図１３に示すような落雷の画像、図１４に示すような落とし穴に人が落ちた瞬間の画像、図１５に示すような巨人が足を踏み鳴らす画像、ボクシングの試合でパンチが当たったときの画像、レーシングカー同士が衝突したときの画像など振動を連想する画像を用いてもよい。また、液晶表示装置４の代わりに、ＣＲＴ表示装置、プラズマ表示装置、エレクトロルミネセンス表示装置などの他の画像表示装置を用いてもよい。
【００３６】
本発明は上記実施形態に限定されるものではなく、その他種々の実施形態を包含するものである。例えば上記実施形態では、リール装置３０の回転リール３２を加振装置４０により振動させるように構成したが、本発明は、例えば図１６に示すように、リール装置３０をその取付部であるリール載置棚３５にラバーなどの弾性部材７１，７１を介して取り付けるとともに、リール装置３０をリール載置棚３５上で弾性部材７１，７１の弾性変形の下に水平方向に振動させるソレノイドからなる加振装置７２をリール載置棚３５に取り付ける構成としてもよい。
【００３７】
また、上記実施形態では、加振装置４０によりリール装置３０の回転リール３２を振動させる当たり、液晶表示装置４のＬＣＤ画面４ｂ上に振動を連想する画像を表示するようにしたが、本発明は、この液晶表示装置４などの画像表示装置の代わりに、あるいはこれと併用して、リール装置３０の回転リール３２をその内側から照明するバックライト装置を設け（例えば特開２０００−１０２６３９号公報参照）、臨場感を高めるようにしてもよい。
【００３８】
さらに、リール装置３０の３つの回転リール３２，３２，３２のうち、２つ又は３つ全てを、単一又は複数の加振装置を用いて個別に加振可能に設け、回転リール３２を振動させるときいずれの回転リール３２を１つ振動させるか、あるいは組み合わせて振動させるかによって、フラグ告知の信頼度を異なるように構成してもよい。例えば３つの回転リール３２，３２，３２をそれぞれ個別に振動可能に設け、個別に振動させる場合、左側から第１、第２、第３の回転リール３２の順で信頼度を高くし、また２つ以上になればその組み合わせで高くし、全ての回転リール３２，３２，３２を振動させる場合１００％告知とすることなどである。
【００３９】
加えて、上記実施形態では、図柄変動表示装置として、外周面にそれぞれ複数の図柄が描かれた３つの回転リール３２，３２，３２を有するリール装置３０を備えたスロットマシンＡについて述べたが、本発明は、このようなリール装置３０ないし回転リール３２の代わりに、外周面に複数の図柄が描かれたベルトなどの図柄回転体や液晶表示装置などの他の図柄変動表示装置を備えたスロットマシンにも適用することができ、また遊技盤の中央部に図柄変動表示装置が取り付けられたパチンコ機やその他の遊技機にも適用することができるのは勿論である。
【００４０】
【発明の効果】
以上のように、本発明の遊技機によれば、フラグ成立時や大当り時などの所定の遊技状況のときに加振装置が作動して図柄変動表示装置が視認可能な程度に振動するため、意外性のある演出態様を創出することができ、演出効果を高めることができる。
【００４１】
特に、請求項４に係る発明では、画像表示装置による画像表示と併せて図柄変動表示装置が振動するため、臨場感のある演出態様を実現することができ、演出効果をより高めることができる。
【００４２】
また、請求項５に係る発明では、遊技者の見える位置にある振動体が、図柄変動表示装置の振動振幅よりも大きな振幅でもって振動するため、振動による報知効果を確実に確保することができる上、振動体の振動のための別個の加振装置などを必要とせず、実施化を容易に図ることができるという効果を併有する。
【図面の簡単な説明】
【図１】本発明の実施形態に係るスロットマシンの外観を示す正面図である。
【図２】上記スロットマシンの筐体内の部品配置を示す配置図である。
【図３】スロットマシンのリール装置及びその配置付近を示す正面図である。
【図４】上記リール装置の右側面図である。
【図５】上記リール装置に装備される加振装置の構成を示す図である。
【図６】スロットマシンの制御系のブロック構成図である。
【図７】スロットマシンの遊技の制御内容を示すフローチャート図である。
【図８】遊技実行のサブルーチンを示すフローチャート図である。
【図９】報知演出処理のフローチャート図である。
【図１０】液晶表示装置に表示される画像の一例を示す図である。
【図１１】同じく画像の別の例を示す図である。
【図１２】同じく画像の別の例を示す図である。
【図１３】同じく画像の別の例を示す図である。
【図１４】同じく画像の別の例を示す図である。
【図１５】同じく画像の別の例を示す図である。
【図１６】別の実施形態を示す図３相当図である。
【符号の説明】
Ａ　　スロットマシン（遊技機）
４　　液晶表示装置（画像表示装置）
３０　　リール装置（図柄変動表示装置）
３２　　回転リール（図柄回転体）
３５　　リール載置棚（取付部）
３６　　主制御基板
４０，７２　　加振装置
４７　　振動体
４８　　マスコットキャップ
６０　　報知演出用サブ制御基板
６８　　制御手段
７１　　弾性部材
【図１】
2004089354.tif 000003
【図２】
2004089354.tif 000004
【図３】
2004089354.tif 000005
【図４】
2004089354.tif 000006
【図５】
2004089354.tif 000007
【図６】
2004089354.tif 000008
【図７】
2004089354.tif 000009
【図８】
2004089354.tif 000010
【図９】
2004089354.tif 000011
【図１０】
2004089354.tif 000012
【図１１】
2004089354.tif 000013
【図１２】
2004089354.tif 000014
【図１３】
2004089354.tif 000015
【図１４】
2004089354.tif 000016
【図１５】
2004089354.tif 000017
【図１６】
2004089354.tif 000018